(57)【要約】      （修正有）【課題】椎弓根スクリューシステム、特に、骨細胞の付着成長を促進する椎弓根スクリューシステムを提供する。【解決手段】スクリュー１３０は、頭部１３２及び軸部１３４を有し、そのうち、頭部１３２は、円形の平台状を呈し、且つ直径が軸部１３４の直径よりも大きい。軸部１３４の一端と頭部１３２の底部が連結されており、もう一端は長手方向に沿って下方へ延伸し漸減して円錐状末端となる。この他、骨組織内へ嵌入し固定するために、軸部１３４の外表面に、ねじ山１３６を有する。本体１４０は、中空円柱状又は管状構造である。本体１４０外表面の中間箇所においてやや内側に窪んでいる。この他、本体１４０は、縦向き穿孔１４２と、ロッド貫通道１４４と、メスねじ山１４６を有する。縦向き穿孔１４２は、本体１４０の下端に設けられ、その直径のサイズは、前記スクリュー１３０の頭部１３２と軸部１３４との間である。【選択図】図１Ａ
0003191057.tif 000002
【実用新案登録請求の範囲】
【請求項１】
少なくとも一つのスクリューと、ロッドと、本体と、固定部材と、を有し、
前記スクリューは、頭部及び軸部を有し、そのうち軸部の外表面にねじ山が設けられ、軸部の一端と頭部の底部が連結され、もう一端は漸減して円錐状末端となり、
前記ロッドの外表面の少なくとも一部は、粗面であり、
前記本体は、縦向き穿孔と、ロッド貫通道と、メスねじ山と、を有し、前記本体の外表面の少なくとも一部は粗面であり、前記縦向き穿孔は、本体の下端に設けられ、スクリューの軸部が穿設して通過し、前記スクリューの頭部は、可動自在に前記本体内に配置され、前記ロッド貫通道はロッドを穿設通過させ、前記メスねじ山は本体上端の内表面に設けられ、
前記固定部材は、オスねじ山を有し、前記本体のメスねじ山と接合する、
ことを特徴とする椎弓根スクリューシステム。
【請求項２】
支持部を更に有し、前記支持部の下方と前記スクリューの頭部とを接続して枢軸を形成して、前記スクリューが前記本体に対して回動可能であり、前記支持部の上方は、前記ロッドを収容することを特徴とする請求項１記載の椎弓根スクリューシステム。
【請求項３】
固定溝を更に有し、前記固定溝の上方と前記固定部材の下方とが接続して枢軸を形成し、前記固定部材が前記本体に対して回動可能であり、前記固定溝の下方はロッドを収容することを特徴とする請求項１記載の椎弓根スクリューシステム。
【請求項４】
前記椎弓根スクリューシステムの材料が、チタン合金、コバルトクロム合金又はステンレスであることを特徴とする請求項１記載の椎弓根スクリューシステム。
【請求項５】
前記本体及び/又は前記ロッドの外表面はサンドブラスト、酸腐食又はレーザーエッチングによる処理により、前記粗面を形成することを特徴とする請求項１記載の椎弓根スクリューシステム。
【請求項６】
前記本体及び/又は前記ロッドの外表面に人工骨材塗布層を塗布して、前記粗面を形成することを特徴とする請求項１記載の椎弓根スクリューシステム。
【請求項７】
前記人工骨材塗布層の材料は、アパタイト、リン酸カルシウム及び硫酸カルシウムからなる物質の群から選択されることを特徴とする請求項６記載の椎弓根スクリューシステム。
【請求項８】
前記ロッドの中段箇所の外表面が粗面であることを特徴とする請求項１記載の椎弓根スクリューシステム。
【請求項９】
前記ロッドの中段箇所の長度が３〜３０センチであることを特徴とする請求項８記載の椎弓根スクリューシステム。
【請求項１０】
前記ロッドの全ての段において粗面であることを特徴とする請求項１記載の椎弓根スクリューシステム。
【考案の詳細な説明】
【技術分野】
【０００１】
本発明は、椎弓根スクリューシステムに関し、特に、骨細胞の付着成長を促進する椎弓根スクリューシステムに関する。
【背景技術】
【０００２】
人体の脊柱（vertebral column）は、人体の主要な神経伝導の主軸である脊髄（spinal cord）を内包し、且つ、全身の重量を支持することが可能である。一般的に、成人の脊柱は２６ブロックに分離される脊椎骨（vertebrae）を含み、これら脊椎骨は、それらが存在する部位により、頸椎、胸椎、腰椎、仙椎、尾椎に分けられる。前半三つの脊椎は、それぞれ７、１２、５節に分離される脊椎骨を含み、後半二つの脊椎はそれぞれ、５椎、４椎からなる脊椎骨を癒合して一つの節の脊椎骨を形成する。各脊椎骨の間は、繊維軟骨により組成された椎間板（intervertebral disks）と椎間関節（facet joint）により連接され、人体の頭部及び躯幹を支え、人体は、起立、回転、ひねり、湾曲又は仰向けを行うことができる。従って、脊椎骨の連結に、老化又は病気などにより問題が発生すると、患者は、非常に苦痛を伴い、行動が不自由になり、生活においてセルフケア能力が喪失することもある。
【０００３】
よく見られる脊椎疾患には、脊椎退行性疾患、外傷による脊椎骨骨折、腫瘍による脊椎骨の破損、脊椎老化による脊柱管狭窄症、椎体圧迫骨折及び先天的または外傷による脊椎すべり症などがある。一般的に、最もよく見られる脊椎疾患は、脊椎すべり症、即ち脊椎骨間のずれであり、脊椎すべり症がひどいときには脊椎神経を圧迫して、坐骨神経痛を引き起こし、且つ運動神経が損傷した場合、行動が不自由になり、長期的に圧迫されると、筋肉が萎縮する恐れもある。
【０００４】
症状が軽い脊椎すべり症に対して、通常は、薬物治療（例えば、消炎薬物、鎮痛剤、筋肉弛緩剤など）、理学療法（例えば、温湿布、電気療法、赤外線、干渉波療法、腰椎けん引療法）または腰椎コルセットの装用による治療などの保存療法が採用される。保存療法が不適切又は保存療法で効果が得られない患者に対して、手術による治療が行われ、脊椎の不安定、脊椎神経の圧迫及び脊椎すべり症などの症状が改善される。例えば、椎弓切除術（laminectomy）により、椎節を狹窄する椎板を切除するが、この種の方法は、常に椎板上の重要な椎間靭帯もともに切除することになる。脊椎癒合術は、脊椎すべりが特にひどい場合に適応され、現在常用する椎弓根スクリュー固定システムを例に挙げると、先ず、椎弓と椎板など関連構造を完全に切除して神経への減圧を行い、その後、椎弓根スクリューシステムにより病変又は変形した椎節を固定し、脊柱の前後の靭帯と椎間の繊維輪の両者間の牽引作用を利用して位置を戻す。この他、二つの節の脊椎骨間に、移植骨をインプラントする、または椎弓根スクリューシステムの周囲表面に骨移植細胞あるいは骨片あるいは人工骨を塗布し、骨再生作用により、固定された二つの脊椎節が癒合されて単一の骨のブロックとなり、脊椎すべり症を防止する。
【考案の概要】
【考案が解決しようとする課題】
【０００５】
しかし、上記骨質再生の過程は、通常３〜４カ月必要であり、多くの影響を受ける。例えば、再生した骨は垂直方向に成長しない恐れがあり、この横向き成長した骨癒合作用により、偽関節を形成する。又は、脊椎と移植骨細胞あるいは骨片あるいは人工骨との接触面積が小さすぎて、骨質が再生するのに十分な母床（fusion bed）を提供することができず、脊椎骨が癒合しない。
【０００６】
以上を鑑み、この分野において改良された椎弓根スクリュー固定システムが切実に求められており、現在の臨床応用においてこの固定システムが椎間癒合過程に発生する欠点を改善できる。
【０００７】
発明の概要は、本開示された内容を基本的に理解できるように、主に本開示された内容の簡略化した要約である。この発明内容は、開示内容の完全な要約ではなく、本発明の実施例の重要な/キーになる要素または本発明を定義する範囲となすものではない。
【課題を解決するための手段】
【０００８】
本開示内容の一態様は、椎弓根スクリューシステムに関し、このシステムは骨細胞の成長付着を提供する固定装置であり、脊椎骨の癒合効率を向上させる。
【０００９】
上記の目的を達成するために、本開示内容の椎弓根スクリューシステムは、少なくとも一つのスクリュー、ロッド、本体及び固定部材を有する。前記スクリューは頭部及び軸部を有し、そのうち軸部の外表面にねじ山が設けられ、軸部の一端と頭部の底部が連結されており、もう一端は漸減して円錐状末端となる。前記ロッドの外表面の少なくとも一部は粗面となっている。前記本体は、縦向き穿孔と、ロッド貫通道と、メスねじ山を有する。本体の外表面の少なくとも一部は粗面である。前記縦向き穿孔は、本体の下端に設けられ、スクリューの軸部が穿設して通過し、スクリューの頭部は、可動自在に前記本体内に配置される。前記ロッド貫通道は、ロッドを穿設通過させる。前記メスねじ山は、本体上端の内表面に設けられる。前記固定部材は、オスねじ山を有し、本体のメスねじ山と接合する。
【００１０】
本開示内容の実施方法によれば、前記椎弓根スクリューシステムは、支持部をさらに有し、支持部の下方と前記スクリューの頭部とを接続して枢軸を形成してスクリューが前記本体に対して回動可能であり、支持部の上方において、ロッドを収容する。
【００１１】
本開示内容の別の実施方法によれば、前記椎弓根スクリューシステムは、固定溝をさらに有し、固定溝の上方と前記固定部材の下方が接続して枢軸を形成して固定部材が本体に対して回動可能であり、固定溝の下方はロッドを収容する。
【００１２】
いずれの実施方法においても、本開示内容の椎弓根スクリューシステムの材料は、チタン合金、コバルトクロム合金又はステンレスであってもよい。
【００１３】
その他のいずれの実施方法においても、前記本体及び/又は前記ロッドの外表面はサンドブラスト、酸腐食又はレーザーエッチングなどの方法による処理により、前記粗面を形成する。
【００１４】
本開示内容の実施方法によれば、前記本体及び/又は前記ロッドの外表面に人工骨材塗布層を塗布して、前記粗面を形成する。いずれの実施方法においても、前記人工骨材塗布層の材料は、アパタイト、リン酸カルシウム及び硫酸カルシウム又はその組み合わせからなる。
【００１５】
本開示された内容の実施方法によれば、本開示内容のロッドの中段における外表面が粗面である。例えば、前記中段における長度は、約３〜３０ｃｍであり、好ましくは約４〜１４ｃｍである。本開示内容の別の実施方法によれば、前記ロッドの全ての段が粗面である。
【００１６】
以下の実施方法により、当業者は本発明の基本的な本質及び発明のその他の目的、本発明が採用する技術手段と実施態様が容易に理解できる。
【図面の簡単な説明】
【００１７】
本発明の上記及びその他の目的、特徴、長所及び実施例を更に容易に理解するために、以下において図面を説明する。
【図１Ａ】本発明の実施方法により設置する椎弓根スクリューシステム１００の分解図である。
【図１Ｂ】図１Ａの椎弓根スクリューシステム１００の組立図である。
【図２】本発明の別の実施方法により設置する本体２００の概略図である。
【図３Ａ】本発明の実施方法により設置するロッド３２０Ａの概略図である。
【図３Ｂ】本発明の別の実施方法により設置するロッド３２０Ｂの概略図である。
【図４Ａ】本発明の実施方法により設置する本体４４０Ａの概略図である。
【図４Ｂ】本発明の別の実施方法により設置する本体４４０Ｂの概略図である。
【図５Ａ】本発明の実施方法により設置する椎弓根スクリューシステム１００の作用方法を説明するための側面図である。
【図５Ｂ】図５Ａに示す作用方法の上面図である。
【考案を実施するための形態】
【００１８】
通常の作業方法に基づき、図面中の各種特徴及び部材は、比例して製図されていない。その製図方法は、本発明に関連する具体的特徴と部材を表すための最適方法により製図されている。この他、異なる図面の間において、同じ又は類似の部材番号により類似する素子/部材を示す。
【実施例】
【００１９】
本開示内容の記載を更に詳細に且つ完全にするため、以下において本発明の実施態様と具体的実施例を挙げて説明する。しかし、これらは、本発明の具体的な実施例の実施又は運用の唯一の形式ではない。実施方法において、多くの具体的実施例の特徴が含まれ、これら具体的実施例の方法工程及びその順序を構成する。そして、その他具体的実施例により同様又は均等な効果及び工程順序もまた利用できる。
【００２０】
本発明の広い範囲を定義する数値範囲とパラメータはおおよその数値であり、これは、できるだけ正確に具体的実施例中の関連数値を表している。しかし、如何なる数値も本質的に個別のテスト方法による標準偏差が必ず含まれる。ここで、「約」とは、通常実際数値が特定数値または範囲の±１０％，５％，１％又は０．５％内である。あるいは、「約」は、実際数値が平均値の許容標準誤差内であることを表し、本発明が属する技術分野において通常の知識を有するものの考慮により決まる。実験例のほか、または特に明確な説明がない場合、ここで用いられるすべての範囲、数量、数値及び百分率（例えば、材料の容量、時間の長短、温度、操作条件、数量比率およびその他類似するもの）は、いずれも「約」を修飾するものと理解することができる。従って、相反する説明が特になければ、本明細書及び実用新案登録請求の範囲に開示された数値、パラメータはいずれもおおよその数値であり、且つ必要に応じて変動する。少なくともこれら数値、パラメータは示す有効数と一般の進位法を併せて得られた数値であると理解できる。
【００２１】
本明細書において別に定義されていなければ、ここにおいて用いられる科学及び技術用語の意味と本発明が属する技術分野において通常の知識を有するものが理解し慣用する意味は同一である。この他、上下の文脈が干渉しなければ、本明細書で用いられた単数名詞は、この名詞の複数形も含む。複数名詞を用いた場合も、この名詞の単数形を含む。
【００２２】
本発明の目的は、椎弓根スクリューシステム、特に、骨細胞の付着成長に有利な椎弓根スクリューシステムを提供することである。本発明の椎弓根スクリューシステムは、脊椎骨が退化又は脊椎骨が変形した患者に適用でき、脊椎骨の退化又は変形した病巣を固定支持する。従来技術の椎弓根スクリューシステムと比較して本発明の椎弓根スクリューシステムは、特定部位の表面を粗面化処理することにより、骨細胞が付着成長するように、優れた環境を提供する。具体的には、ここで提出された粗面化表面は、優れた癒合母床環境を提供するばかりでなく、骨が再生する成長方向もガイドし、更に隣り合い且つ固定された脊椎骨と癒合して、脊椎骨癒合効率を向上させることができる。
【００２３】
図１Ａ及び図１Ｂを参照すると、それらはそれぞれ、本発明の実施方法により設置された椎弓根スクリューシステム１００の分解図と組立て図を示す。
【００２４】
図に示すように、本発明の椎弓根スクリューシステム１００は、少なくとも一つのスクリュー１３０、ロッド１２０、本体１４０及び固定部材１１０を有する。それぞれ以下で説明する。
【００２５】
図１Ａを参照すると、スクリュー１３０は、頭部１３２及び軸部１３４を有し、そのうち、頭部１３２は、円形の平台状を呈し、且つ直径が軸部１３４の直径よりも大きい。軸部１３４の一端と頭部１３２の底部が連結されており、もう一端は長手方向に沿って下方へ延伸し漸減して円錐状末端となる。この他、骨組織内へ嵌入し固定するために、軸部１３４の外表面に、ねじ山１３６を有する。
【００２６】
本体１４０は、中空円柱状又は管状構造である。実施例において、本体１４０外表面の中間箇所においてやや内側に窪んでいる。この他、本体１４０は、縦向き穿孔１４２と、ロッド貫通道１４４と、メスねじ山１４６を有する（図１Ａ）。縦向き穿孔１４２は、本体１４０の下端に設けられ、その直径のサイズは、前記スクリュー１３０の頭部１３２と軸部１３４との間である。実際の応用において、スクリュー１３０の軸部１３４は、縦向き穿孔１４２を貫通し、頭部１３２の直径サイズが前記縦向き穿孔１４２の直径よりも大きいので、スクリュー１３０の頭部１３２が回動自在に前記本体１４０内に配置される（図１Ｂ）。このように、スクリュー１３０は、前記本体１４０に対して回動可能であるので、使用者が操作できる。ロッド貫通道１４４は、本体１４０を横向きに貫通する凹溝であり（図１Ａ）、前記ロッド１２０が穿設して本体１４０を通過する（図１Ｂ）。具体的には、前記凹溝は、Ｕ字型又は凹型であってもよい。メスねじ山１４６は、前記本体１４０上端の内表面に設けられる。
【００２７】
固定部材１１０は、オスねじ山１１２を有し、その外形は本体１４０のメスねじ山１４６に対応し、二つの部材をねじ山を介して接合する。使用において、固定部材１１０と本体１４０の接合後、ロッド１２０を前記本体１４０のロッド貫通道１４４内に固定できる。
【００２８】
この実施方法において、ロッド１２０と本体１４０の表面は、少なくとも一部が粗面（１２０Ｓ，１４０Ｓ）となっており、骨細胞が付着し成長する環境を提供し、骨細胞を前記粗面に沿って成長させることができる。
【００２９】
本発明の各種実施方法において、前記本体１４０及び/又はロッド１２０の粗面（１２０Ｓ，１４０Ｓ）は、サンドブラスト、酸腐食又はレーザーエッチングなどを含む処理方法を採用するが、これに制限されない。この他、本分野の技術者は、従来又は均等な技術によっても表面を粗面化処理を行うことができる。
【００３０】
あるいは、本開示内容の実施方法によれば、前記本体１４０及び/又は前記ロッド１２０の粗面表面（１２０Ｓ，１４０Ｓ）は、人工骨材塗布層であってもよく、前記人工骨材塗布層の材料は、アパタイト、リン酸カルシウム及び硫酸カルシウム又はその組み合わせからなる。
【００３１】
いずれの実施方法においても、本発明の椎弓根スクリューシステム１００の材料は、チタン合金、コバルトクロム合金又はステンレスを含む生物受容物質であってもよいが、これに制限されない。
【００３２】
図２は、本発明の別の実施方法により設置された椎弓根スクリューシステム２００の分解図である。
【００３３】
本発明の錐弓根スクリューシステム２００と図１Ａに示された椎弓根スクリューシステム１００はほぼ類似し、異なる個所は、支持部と固定溝を更に含むことである。図２を参照すると、本発明の椎弓根スクリューシステム２００は、少なくとも一つのスクリュー２３０、ロッド２２０、本体２４０、固定部材２１０、支持部２３８及び固定溝２１４を有する。そのうち、スクリュー２３０は、頭部２３２及び軸部２３４を有し、軸部２３４の外表面にねじ山２３６を有する。本体２４０は、縦向き穿孔２４２と、ロッド貫通道２４４と、メスねじ山２４６と、オスねじ山２１２を有する固定部材２１０とを有する。
【００３４】
ここで述べたスクリュー２３０と、ロッド２２０と、本体２４０と、固定部材２１０とは、その構造、配置方法及び材料が、図１Ａで示した椎弓根スクリューシステム１００と同一であり、簡潔にするため、ここでは説明しない。前記支持部２３８と固定溝２１４は、それぞれロッド２２０の上方及び下方に設けられ、この構造により、ロッド２２０を本体２４０のロッド貫通道２４４内に更に安定して固定することができる。
【００３５】
具体的には、前記支持部２３８は、前記ロッド２２０を収容し、凹溝状を呈し、前記ロッド２２０に対応する弧度を有し、ロッド２２０を前記弧度にスムーズに密着して張り合わすことができ、且つ前記支持部２３８の凹溝と前記ロッド貫通道２４４の下凹部が重なり同一側に向けて配列される。その他、支持部２３８の下方と前記スクリュー２３０の頭部２３２は、接続されて枢軸を形成し、前記スクリュー２３０が本体２４０に相対して回動できる。固定溝２１４は、ロッド２２０の上方に設けられ、前記ロッド２２０を固定し、その構造と支持部２３８は凹溝状に類似し、前記ロッド２２０と対応する弧度を有することにより、両者が密接に張り合わされる。更に、固定溝２１４の凹溝とロッド貫通道２４４の上方箇所で重なり同一側に配列される。この他、前記固定溝２１４上方と固定部材２１０下方は接続されて枢軸を形成し、前記固定部材２１０が前記本体２４０に対して回動する。以上、前記枢軸の設計は本発明の椎弓根スクリューシステム２００を使用する際に更に簡便にするためであり、特に、本体２４０に固定されるロッド２２０が３６０度回動でき、使用者が固定装置を装着するとき、その回動角度を弾性的に調整することができる。
【００３６】
椎間癒合の効率を向上させるために、本発明の椎弓根スクリューシステム１００，２００の本体１４０，２４０及びロッド１２０，２２０の外表面に対してそれぞれ粗面化処理を行い、本発明の椎弓根スクリューシステム１００，２００に骨細胞を付着させ、前記特定粗面（１２０Ｓ，１４０Ｓ、２２０Ｓ，２４０Ｓ）に沿って成長させて、更に完全且つ効率よく骨癒合過程が行われる。特に、粗面（１２０Ｓ，１４０Ｓ，２２０Ｓ，２４０Ｓ）の設置は、実際の使用状況により、その分布する領域がすべて異なることができる。
【００３７】
図３Ａは、本発明の実施方法により設置されたロッド３２０Ａの概略図である。図示されたように、前記ロッド３２０Ａの中段表面は、粗面化処理を経て、骨細胞付着成長を行う粗面３２０Ｓを提供する。
【００３８】
具体的には、この中段箇所の長さは、二つのスクリューがロッド１２０に固定される間隔の距離である（図示せず）。実施方法において、前記中段における長度は、約３〜３０ｃｍである。例えば、前記長度は、３、４、５、６、７、８、９、１０、１１、１２、１３、１４、１５、１６、１７、１８、１９、２０、２１、２２、２３、２４、２５、２６、２７、２８、２９或いは３０センチである。好ましい実施方法において、前記長度は４〜１４センチであり、４、５、６、７、８、９、１０、１１、１２、１３或いは１４センチを含むが、これに制限されない。この他、この粗面３２０Ｓは、いずれも前述の方法処理又は如何なる周知技術又は均等な技術により製造されてもよい。この他、別の実施方法によれば、この粗面３２０Ｓは、人工骨材塗布層であってもよい。好ましい実施方法において、人工骨材塗布層の材料はリン酸カルシウム又は硫酸カルシウムである。
【００３９】
本発明の各実施方法において、前記粗面３２０Ｓの平均粗度（Ｒａ）は、２０〜２０００μｍである。具体的には前記平均粗度（Ｒａ）は、２０、４０、６０、８０、１００、１２０、１４０、１６０、１８０、２００、２２０、２４０、２６０、２８０、３００、３２０、３４０、３６０、３８０、４００、４２０、４４０、４６０、４８０、５００、５２０、５４０、５６０、５８０、６００、６２０、６４０、６６０、６８０、７００、７２０、７４０、７６０、７８０、８００、８２０、８４０、８６０、８８０、９００、９２０、９４０、９６０、９８０、１０００、１０２０、１０４０、１０６０、１０８０、１１００、１１２０、１１４０、１１６０、１１８０、１２００、１２２０、１２４０、１２６０、１２８０、１３００、１３２０、１３４０、１３６０、１３８０、１４００、１４２０、１４４０、１４６０、１４８０、１５００、１５２０、１５４０、１５６０、１５８０、１６００、１６２０、１６４０、１６６０、１６８０、１７００、１７２０、１７４０、１７６０、１７８０、１８００、１８２０、１８４０、１８６０、１８８０、１９００、１９２０、１９４０、１９６０、１９８０或いは２０００μｍである。好ましい実施方法において、前記平均粗度（Ｒａ）は、１００〜１５０μｍであり、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９或いは１５０μｍを含むが、これに制限されない。又は、平均粗度（Ｒａ）は、２０〜２０００μｍの間のその他の正の整数であってもよい。
【００４０】
図３Ｂは、本発明の別の実施方法により設置されたロッド３２０Ｂの概略図である。
【００４１】
この実施方法において、ロッド３２０Ｂの外表面全てに粗面化処理を施し、前述の方式又はその他周知又は均等方法により上記の粗面化処理を行うことができる。別の実施方法によれば、この粗面３２０Ｓは人工骨材塗布層であってもよい。好ましい実施方法において、前記人工骨材塗布層は硫酸カルシウム又はリン酸カルシウムである。この他、前記粗面３２０Ｓの平均粗度（Ｒａ）は前述と同一であり、好ましい実施方法において、前記平均粗度（Ｒａ）は、１００〜１５０μｍである。
【００４２】
図４Ａは、本発明の別の実施方法により設置された本体４４０Ａの概略図である。
【００４３】
この実施方法において、前記本体４４０Ａの表面は、完全に粗面化処理を経て粗面４４０Ｓを形成する。前記本体４４０Ａの表面の粗面化処理は、前述の関連処理方法により形成される。この他、別の実施方法において、前記粗面４４０Ｓは、人工骨材塗布層であってもよい。好ましい実施方法において、前記人工骨材塗布層は、硫酸カルシウム又はリン酸カルシウムである。
【００４４】
実施方法において、前記粗面４４０Ｓの平均粗度（Ｒａ）は、２０〜２０００μｍである。例えば、前記平均粗度（Ｒａ）は、２０、４０、６０、８０、１００、１２０、１４０、１６０、１８０、２００、２２０、２４０、２６０、２８０、３００、３２０、３４０、３６０、３８０、４００、４２０、４４０、４６０、４８０、５００、５２０、５４０、５６０、５８０、６００、６２０、６４０、６６０、６８０、７００、７２０、７４０、７６０、７８０、８００、８２０、８４０、８６０、８８０、９００、９２０、９４０、９６０、９８０、１０００、１０２０、１０４０、１０６０、１０８０、１１００、１１２０、１１４０、１１６０、１１８０、１２００、１２２０、１２４０、１２６０、１２８０、１３００、１３２０、１３４０、１３６０、１３８０、１４００、１４２０、１４４０、１４６０、１４８０、１５００、１５２０、１５４０、１５６０、１５８０、１６００、１６２０、１６４０、１６６０、１６８０、１７００、１７２０、１７４０、１７６０、１７８０、１８００、１８２０、１８４０、１８６０、１８８０、１９００、１９２０、１９４０、１９６０、１９８０或いは２０００μｍである。好ましい実施方法において、前記平均粗度（Ｒａ）は、１００〜１５０μｍであり、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９或いは１５０μｍを含むが、これに制限されない。平均粗度（Ｒａ）は、２０〜２０００μｍの間のその他の正の整数であってもよい。
【００４５】
図４Ｂは、本発明の別の実施方法により設置された本体４４０Ｂの概略図である。
【００４６】
この実施方法において、前記本体４４０Ｂの表面の一部が粗面化処理を経て粗面４４０Ｓを形成する。この粗面４４０Ｓは、本体４４０Ｂの一側に設けられ、且つ骨細胞が成長癒合の領域に向かっている。前述と同一の方法により粗面４４０Ｓに対し粗面化表面処理を実施する。この他、前記粗面は、人工骨材塗布層であってもよく、好ましくは硫酸カルシウム又はリン酸カルシウムである。
【００４７】
この他、前記粗面４４０Ｓの平均粗度（Ｒａ）と前述は同一であり、好ましい実施方法において、前記平均粗度（Ｒａ）は、１００〜１５０μｍである。
【００４８】
図５Ａ及び図５Ｂを同時に参照すると、図５Ａは、本発明の実施方法により設置された椎弓根スクリューシステム１００の作用方法の概略図である。図５Ｂは図５Ａに示す作用方法の上面図である。
【００４９】
この実施方法において、ロッド１２０は二つの対のスクリュー１３０に連結しており、それぞれ前記二つの対のスクリュー１３０を固定したい脊椎骨Ｂに嵌入し固定する。実際の操作の際に、先ず、二つのスクリュー１３０の軸部１３４をそれぞれ脊椎骨Ｂの組織内に固定し、次にロッド１２０を本体１４０の貫通道中に配置し（図示せず）、更に、固定部材１１０を本体１４０に対応して装設してしっかりと固定することにより、本椎弓根スクリューシステム１００の構造を二つの脊椎骨Ｂに支持させることができる。固定後の椎弓根スクリューシステム１００の本体１４０及びロッド１２０は、骨組織の外側に位置し、最後に骨細胞又は骨片を本発明の椎弓根スクリューシステム１００の粗面（１２０Ｓ，１４０Ｓ）に塗布し、骨細胞を前記粗面（１２０Ｓ，１４０Ｓ）に沿って付着成長させ骨癒合を行わせる。この他、その他実施方法において、本椎弓根スクリューシステム１００は、更に、横向き連結装置（図示せず）を含んでもよく、並行配列のロッド１２０を連結することにより、本椎弓根スクリューシステム１００の安定性及び支持力を向上させる。
【００５０】
特に、如何なる実施方法においても、使用者は、脊椎骨の固定したい面積の大きさ及び脊椎骨の数量により、スクリュー１３０の数量を更に増加することができ、使用者の必要に応じて、前記ロッド１２０の長度を調整して、大きな範囲の固定面積に適用できる。
【００５１】
上記実施方法において本発明の具体的実施例を開示したが、本発明を制限するものではない。本発明が属する技術分野において通常の知識を有する者は、本発明の原理と本質を逸脱しなければ、それらに対して各種変更及び装飾を行うことができる。したがって、本発明の保護範囲は実用新案登録請求の範囲で定義されたものを基準とする。
【符号の説明】
【００５２】
１００、２００  椎弓根スクリューシステム
１１０、２１０  固定部材
１１２、２１２  オスねじ山
１２０、２２０、３２０Ａ、３２０Ｂ  ロッド
１３０、２３０  スクリュー
１３２、２３２  頭部
１３４、２３４  軸部
１３６、２３６  ねじ山
１４０、２４０、４４０Ａ、４４０Ｂ  本体
１４２、２４２  縦向き穿孔
１４４、２４４  ロッド貫通道
１４６、２４６  メスねじ山
２１４  固定溝
２３８  支持部
１２０Ｓ、１４０Ｓ、２２０Ｓ、２４０Ｓ、３２０Ｓ、３４０Ｓ、４４０Ｓ  粗面
Ｂ  脊椎骨
【図１Ａ】
0003191057.tif 000003
【図１Ｂ】
0003191057.tif 000004
【図２】
0003191057.tif 000005
【図３Ａ】
0003191057.tif 000006
【図３Ｂ】
0003191057.tif 000007
【図４Ａ】
0003191057.tif 000008
【図４Ｂ】
0003191057.tif 000009
【図５Ａ】
0003191057.tif 000010
【図５Ｂ】
0003191057.tif 000011